(57)【要約】【課題】固定読み用のガラスを取外しても、読取ユニットが、他の部品に損傷を与えないようにすること。【解決手段】画像読取装置は、ケーシング３０と、ケーシングに取外し可能に設けられて、上面１ａに原稿が位置する固定読みガラス１と、ケーシング内に位置して、流し読みガラス１の下面１ｂに接触した状態で原稿を読み取る読取ユニット２０と、読取ユニット２０を支持する案内軸９と、読取ユニット２０が延びる方向と直交する方向に部分的に設けられ、固定読みガラス１がケーシングから取外された場合、読取ユニット２０が案内軸９に対して傾く傾動範囲を規制する突部７ａ及び突起１６と、ケーシングに設けられた位置検知センサ１２と、読取ユニット２０に設けられてセンサフラグ７ｂとを備え、傾動範囲は、読取ユニット２０が案内軸９に対して傾いたとき、位置検知センサ１２とセンサフラグ７ｂとが干渉しない範囲内に設定されている。【選択図】図５
2016096402.tif 000002
【特許請求の範囲】
【請求項１】
ケーシングと、
前記ケーシングに取外し可能に設けられて、上面に原稿が位置する透明部材と、
前記ケーシング内に位置して、前記透明部材の下面に接触した状態で原稿を読み取る読取手段と、
前記読取手段を支持する支持手段と、
前記読取手段が延びる方向と直交する方向に部分的に設けられ、前記透明部材が前記ケーシングから取外された場合、前記読取手段が前記支持手段に対して傾く傾動範囲を規制する傾動規制手段と、
前記ケーシングと前記読取手段との各々に設けられた部品と、を備え、
前記傾動範囲は、前記読取手段が前記支持手段に対して傾いたとき、前記部品同士が干渉しない範囲内に設定されている、
ことを特徴とする画像読取装置。
【請求項２】
前記傾動規制手段は、前記ケーシングに設けられた突起と、前記読取手段に設けられた突部と、を有し、
前記突起は、前記透明部材が前記ケーシングから取外された場合、前記突部と当接して前記読取手段が前記支持手段を中心に傾く傾動範囲を規制し、前記透明部材が前記ケーシングに装着された場合、前記突部と当接しない、
ことを特徴とする請求項１に記載の画像読取装置。
【請求項３】
前記支持手段は、前記読取手段が副走査方向へ移動可能となるように前記読取手段の主走査方向における中間部を支持し、
前記部品は、前記ケーシングと前記読取手段との一方に設けられたセンサと、前記ケーシングと前記読取手段との他方に設けられて、前記センサに検知されるセンサフラグとであり、
前記センサと前記センサフラグは、前記読取手段のホームポジションを検知するホームポジションセンサである、
ことを特徴とする請求項１または２に記載の画像読取装置。
【請求項４】
前記読取手段は、原稿を読み取る読取部と、前記読取部を前記透明部材の下面に接触させる弾性体を介して前記読取部を支持するフレームと、を有し、
前記支持手段は、前記フレームの主走査方向の中間部を移動可能に支持している、
ことを特徴とする請求項１乃至３のいずれか１項に記載の画像読取装置。
【請求項５】
原稿の画像を読み取る請求項１乃至４のいずれか１項に記載の画像読取装置と、
前記画像読取装置が読み取った画像をシートに形成する画像形成部と、を備えた、
ことを特徴とする画像形成装置。
【発明の詳細な説明】
【技術分野】
【０００１】
本発明は、原稿の画像を読み取る画像読取装置と、この画像読取装置を装置本体に備えた画像形成装置とに関する。
【背景技術】
【０００２】
従来、複写機、プリンタ等の画像形成装置は、装置本体に原稿の画像を読み取る画像読取装置を備えていることがある（特許文献１）。そして、画像読取装置には、密着型イメージセンサを有する読取手段としての読取ユニットが搭載されているものがある。読取ユニットは、支持手段としての案内軸に支持されている。そして、密着型イメージセンサは、透明部材としての固定読み用のガラス上の原稿、或いは流し読み用のガラス上を通過する原稿を読み取るため、固定読み用のガラス、或いは流し読み用のガラスの下面に密着するようになっている。
【先行技術文献】
【特許文献】
【０００３】
【特許文献１】特開２０１２−４４５８９号公報
【発明の概要】
【発明が解決しようとする課題】
【０００４】
しかし、従来の画像読取装置は、メンテナンス時に、固定読み用のガラス、或いは流し読み用のガラスを取り外すことがある。読取ユニットは、密着していたガラスが取り外されると、案内軸を支点にして傾き、画像形成装置の他の部品に干渉し、その部品を破損するおそれがあった。
【０００５】
本発明は、透明部材としての固定読み用のガラスや流し読み用のガラスを取外しても、読取手段としての読取ユニットが他の部品に損傷を与えないようにした画像読取装置と、この画像読取装置を備えた画像形成装置とを提供することにある。
【課題を解決するための手段】
【０００６】
本発明の画像読取装置は、ケーシングと、前記ケーシングに取外し可能に設けられて、上面に原稿が位置する透明部材と、前記ケーシング内に位置して、前記透明部材の下面に接触した状態で原稿を読み取る読取手段と、前記読取手段を支持する支持手段と、前記読取手段が延びる方向と直交する方向に部分的に設けられ、前記透明部材が前記ケーシングから取外された場合、前記読取手段が前記支持手段に対して傾く傾動範囲を規制する傾動規制手段と、前記ケーシングと前記読取手段との各々に設けられた部品と、を備え、前記傾動範囲は、前記読取手段が前記支持手段に対して傾いたとき、前記部品同士が干渉しない範囲内に設定されている、ことを特徴としている。
【０００７】
本発明の画像形成装置は、原稿の画像を読み取る上記の画像読取装置と、前記画像読取装置が読み取った画像をシートに形成する画像形成部と、を備えた、ことを特徴としている。
【発明の効果】
【０００８】
本発明の画像読取装置は、透明部材を取外しても、読取手段が他の部品に損傷を与えることを防止することができる。
【図面の簡単な説明】
【０００９】
【図１】本発明の実施形態の画像形成装置のシート搬送方向に沿った断面図である。
【図２】本発明の実施形態における画像読取装置の外観斜視図である
【図３】図２の固定読みガラスと流し読みガラスとカバーとを取り除いた画像読取装置の外観斜視図である。
【図４】図２に示す読取ユニットを左側から見た外観斜視図である。
【図５】図２のＢ−Ｂ矢視断面図である。（Ａ）は、画像読取装置の全体断面図である。（Ｂ）は、（Ａ）の部分拡大図である。
【図６】図３のＣ−Ｃ矢視断面である。（Ａ）は、画像読取装置の全体断面図である。（Ｂ）は、（Ａ）の部分拡大図である。
【発明を実施するための形態】
【００１０】
以下、本発明の実施形態の画像読取装置と、この画像読取装置を装置本体に備えた画像形成装置を図にもとづいて説明する。
【００１１】
（画像形成装置）
図１は、本発明の実施形態の画像形成装置のシート搬送方向に沿った断面図である。
【００１２】
画像読取装置には、複写機、プリンタ、ファクシミリ、及びこれらの複合機器等がある。画像形成装置１００は、装置本体１００Ａと、装置本体１００Ａの上部に備えられた画像読取装置１０１と、画像読取装置１０１の上部に備えられた自動原稿搬送装置１０２とを備えている。
【００１３】
画像読取装置１０１は、自動原稿搬送装置１０２によって流し読みガラス２に供給される原稿Ｄか、或いは固定読みガラス１にユーザによって載置された原稿を読み取るようになっている。
【００１４】
装置本体１００Ａは、画像読取装置１０１が原稿を読み取った画像読取情報や、パソコンや、ファクシミリ等の外部機器から送信されてきた画像情報を、レーザ発光書込ユニット１２５で受け取る。レーザ発光書込ユニット１２５は、画像情報に基づいてレーザ光Ｌを、帯電器１１３によって帯電されて回転している感光ドラム１２４の周面を照射し、その周面に静電潜像を形成する。静電潜像は、トナーボトルユニット１１６の現像剤（トナー）によって、トナー像となり可視像化される。感光ドラム１２４、帯電器１１３、トナーボトルユニット１１６等は、画像形成部１２３を形成している。
【００１５】
一方、装置本体１００Ａのピックアップローラ１１２は、カセット１１１からシートＰを取り出す。そして、シート分離ローラ対１１４は、シートを搬送ローラ対１１７に搬送する。シート分離ローラ対１１４は、シートが重なっている場合、シートを１枚ずつに分離して、搬送する。
【００１６】
搬送ローラ対１１７は、回転停止しているレジストローラ対１１５にシートを搬送する。レジストローラ対１１５は、回転を停止した状態でシートの先端を受け止めて、シートが斜行している場合、真っ直ぐに矯正する。レジストローラ対１１５は、感光ドラム１２４に形成されているトナー像の位置に合わせて、シートを感光ドラム１２４と転写器１１８との間に送り込む。
【００１７】
転写器１１８は、感光ドラム１２４のトナー像をシートに転写する。搬送ベルト１１９は、シートを定着器１２０に送り込む。定着器１２０は、シートを加熱加圧して、シートにトナー像を定着する。
【００１８】
シートは、片面にだけ、画像を形成される場合、排出ローラ対１２１によって装置本体１００Ａから外部に排出される。シートは、両面に形成される場合、反転パス１２２を搬送されながら、表裏反転されて、再度、感光ドラム１２４と転写器１１８との間に搬送されて、他方の面にトナー像を形成される。そして、シートは、定着器１２０で他方の面にトナー像を定着されて、装置本体１００Ａから外部に排出される。
【００１９】
（画像読取装置）
図２は、本発明の実施形態における画像読取装置１０１の外観斜視図である。図３は、図２の固定読みガラス１と流し読みガラス２とカバー３とを取り除いた画像読取装置１０１の外観斜視図である。図４は、図２に示す読取ユニット２０を左側から見た外観斜視図である。図５は、図２のＢ−Ｂ矢視断面図である。（Ａ）は、画像読取装置１０１の全体断面図である。（Ｂ）は、（Ａ）の部分拡大図である。図６は、図３のＣ−Ｃ矢視断面である。（Ａ）は、画像読取装置１０１の全体断面図である。（Ｂ）は、（Ａ）の部分拡大図である。
【００２０】
画像読取装置１０１のケーシング３０（図２）は、ベースフレーム１４とベースフレーム１４に取外し自在に設けられたカバー３とで形成されている。ケーシング内に、後述する読取ユニット２０、案内軸９、駆動モータＭ等が収納されている（位置している）。
【００２１】
ベースフレーム１４に対して取り外し可能なカバー３には、上面１ａに原稿が載置される透明部材としての固定読みガラス１と、上面２ａを原稿が通過する透明部材としての流し読みガラス２と、掬い上げ部１３とが設けられている。掬い上げ部１３（図２）は、固定読みガラス１と、流し読みガラス２との間に配置されており、自動原稿搬送装置１０２により画像読取装置１０１に搬送された原稿を再び自動原稿搬送装置１０２へ戻すために、原稿を掬い上げるようになっている。
【００２２】
カバー３をベースフレーム１４から取り外すと、カバー３と一体に、固定読みガラス１と流し読みガラス２と掬い上げ部１３も、ベースフレーム１４から取り外すことができる。なお、固定読みガラス１と流し読みガラス２と掬い上げ部１３は、カバー３に対して取外し自在になっていてもよい。
【００２３】
固定読みガラス１（図１）の下面１ｂと、流し読みガラス２の２ｂとには、後述する読取ユニット２０の読取デバイスとして密着型のイメージセンサ４が選択的に密着するようになっている。図２、図３において、案内軸９は、長尺な読取ユニット２０の長手方向（主走査方向Ｆ）に対して直角方向に、ベースフレーム１４に配置されている。読取ユニット２０は、案内軸９に案内されて、副走査方向Ｅに往復移動するようになっている。
【００２４】
案内軸９の一端側（図３において左端側）には、駆動モータＭの動力を伝えるギアプーリ１０が配置してある。案内軸９の他端側（図３において右端側）には、従動プーリ１５が配置してある。ギアプーリ１０と従動プーリ１５とには、無端環状のタイミングベルト１１が掛け渡してある。タイミングベルト１１は、案内軸９に略平行に架設されており、このタイミングベルト１１の一部がイメージセンサ４（図４）を支持したセンサホルダ７の軸受１７に接続されている。駆動モータＭの回転は、ギアプーリ１０を介してタイミングベルト１１に伝達されるようになっている。また、センサホルダ７は、主走査方向の中間部に一体的に設けられた軸受１７（図４）が案内軸９に受け止め支持されて、案内軸９に沿って移動するようになっている（移動可能になっている）。軸受１７と案内軸９は、支持手段を構成している。
【００２５】
したがって、駆動モータＭによってタイミングベルト１１が循環する。すると、タイミングベルト１１に連動して読取ユニット２０が案内軸９上を移動する。そして、センサホルダ７に位置決め保持されているイメージセンサ４が固定読みガラス１および流し読みガラス２の下側を移動して原稿の画像を読み取ることができる。イメージセンサ４の移動方向は、駆動モータＭの正逆回転により変えることができる。
【００２６】
ベースフレーム１４の底部１４ａには、イメージセンサ４がホームポジションＨＰ（図１）に居るか否かを検知する位置検知センサ１２が設けられている。位置検知センサ１２は、ベースフレーム１４に設けたセンサフラグ７ｂを検知して、イメージセンサ４がホームポジションＨＰに居るか否かを検知するようになっている。
【００２７】
以上の構成の画像読取装置１０１は、ユーザが原稿を固定読みガラス１の上面１ａに置いた原稿の画像を、読取手段としての読取ユニット２０を固定読みガラス１の下面１ｂを移動させて読み取るようになっている。この読み取り方を固定読みとする。一方、画像読取装置１０１は、流し読みガラス２の上面２ａを自動原稿搬送装置１０２により搬送される原稿の画像を、読取ユニット２０を流し読みガラス２の下面２ｂの所定の位置に移動して停止させて、読取ユニット２０で読み取るようになっている。この読み方を流し読みとする。固定読みと、流し読みとの切り替えは、ユーザが画像読取装置１０１か、あるいは自動原稿搬送装置１０２のどちらかに原稿をセットした際に自動的に、もしくはユーザの設定により切り替えることができる。
【００２８】
読取手段としての読取ユニット２０は、読取部としてのイメージセンサ４、弾性体としての圧縮コイルばね８、センサホルダ７、スペーサ５等で構成されている。イメージセンサ４は、センサホルダ７に圧縮コイルばね８よって支持され、圧縮コイルばね８によってイメージセンサ４の上部の両端角部に設けられたスペーサ５を介して固定読みガラス１の下面１ｂ、又は流し読みガラス２の下面２ｂに押し付けられている。
【００２９】
スペーサ５は、圧縮コイルばね８によって、固定読みガラス１、又は流し読みガラス２に常時押し付けられて、イメージセンサ４と一体に摺動するようになっている。これは、固定読みガラス１、及び流し読みガラス２が多少たわんでいたり、捻じれていたりしても、イメージセンサ４が、固定読みガラス１及び流し読みガラス２との距離を一定に保つことができるようにするためである。これによって、画像読取装置１０１は、イメージセンサが、焦点深度の浅い密着型のイメージセンサであっても、画像を一様に鮮明に読み取ることができる。
【００３０】
このように、画像読取ユニット２０のイメージセンサ４は、固定読みであっても流し読みであっても、スペーサを介してガラスに密着させおく必要がある。スペーサ５は、スペーサ自身の摩耗により、ガラスの下面とイメージセンサ４との間のクリアランスが変動することがある。また、スペーサ５は、スペーサ５自身の削れ粉がガラスに付着して、ガラスを曇らせることがあるため、低摩擦、耐摩耗性に優れたＰＯＭなどの成型品が使用されている。
【００３１】
以上の構成において、画像読取装置の通常状態の状態において、イメージセンサ４は、圧縮コイルばね８により、固定読みガラス１の下面１ｂ、又は流し読みガラス２の下面２ｂに常に押し付けられている。通常の状態とは、固定読みガラス１と流読ガラス２と掬い上げ部１３がカバー３と一体にベースフレーム１４に取り付けられている状態のことである。この通常の状態で、読取ユニット２０は、下部を、軸受１７を介して案内軸９に支えられ、上部を固定読みガラス１あるいは流し読みガラス２に受け止められている。
【００３２】
このため、読取ユニット２０は、案内軸９の１点と、読取ユニット２０の両端に設けたスペーサ５が固定読みガラス１あるいは流し読みガラス２に接触する２点とによって、固定読みガラス１あるいは流し読みガラス２に沿った姿勢を維持している。
【００３３】
また、このとき、図５に示すようにセンサホルダ７の下部に下向きに突設したセンサフラグ７ｂは、ベースフレーム１４の底部１４ａに設けた位置検知センサ１２に接触していない。図５、図６において、センサホルダ７の下面に下向きに突設した突部７ａは、ベースフレーム１４の底部１４ａに上向きに突設した突起１６に接触していない。
【００３４】
突部７ａと突起１６は、案内軸９の左側に配置されている。突部７ａと突起１６は、読取ユニット２０が延びる方向と直交する方向（副走査方向）に、位置検知センサ１２に対応して、センサホルダ７とベースフレーム１４の底部１４ａとに部分的に形成されている。
【００３５】
ところが、画像読取装置のメンテナンス時に、図２に示すカバー３、固定読みガラス１流し読みガラス２及び掬い上げ部１３が、図３に示すようにベースフレーム１４から取り外される。すると、読取ユニット２０は、固定読みガラス１あるいは流し読みガラス２に接触しなくなり、案内軸９の１点のみに支持されることなる。このため、読取ユニット２０は、図６のように、読取ユニット２０の重量アンバランスによって、案内軸９を支点にして図６の左側が下がる。しかし、このとき、突部７ａが突起１６に受け止められて、読取ユニット２０の傾きが規制されて、センサフラグ７ｂが、位置検知センサ１２に当接することが回避される。これによって、位置検知センサ１２の損傷が防止される。センサフラグ７ｂと位置検知センサ１２は、ホームポジションセンサ３１を構成して、読取ユニット２０がホームポジションＨＰ（図１）に居るか否かを検知するようになっている。
【００３６】
このように、読取ユニット２０は、案内軸９を中心に傾くことがあっても、傾動範囲が、傾動規制手段としての突部７ａと突起１６との当接によって、センサフラグ７ｂと位置検知センサ１２とが干渉しない範囲内に設定されている。すなわち、複数の部品同士が干渉しない範囲内に設定されていることによって部品同士の損傷を防止することができる。
【００３７】
また、カバー３を装着している場合、突部７ａと突起１６とが接触しないため、画像読取時に読取ユニット２０の副走査方向Ｅへの移動に伴って突部７ａと突起１６とが摺動することがない。そのため、常に摺動することによって突部７ａと突起１６とが摩耗劣化してしまうことを防止することができる。また、画像読取時に突部７ａと突起１６とが接触しないため、読取ユニット２０の副走査方向Ｅへの移動にともなって突部７ａと突起１６との摺動による異音が発生することを防止することができる。
【００３８】
なお、読取ユニット２０が、図６の右側が下がる場合には、突部７ａと突起１６は、案内軸９の右側に配置されているものとする。また、読取ユニット２０の左右の重量アンバランスに差が少なく、読取ユニット２０が左右どちらに傾か不安定である場合、突部７ａと突起１６は、案内軸９の両側に配置されるものとする。この場合、カバー３をベースフレーム１４から取り外さずに画像読取装置を通常の状態で使用しているとき、案内軸９の両側に配置された、突部７ａと突起１６は当接しないようになっている。
【００３９】
さらに、突部７ａと突起１６は、ホームポジションセンサ３１以外に他の部品の損傷を防止するために設けてもよい。
【符号の説明】
【００４０】
１：固定読みガラス（透明部材）、２：流し読みガラス（透明部材）、３：カバー、４：イメージセンサ（読取部）、５：スペーサ、７：センサホルダ、７ａ：突部（傾動規制手段）、７ｂ：センサフラグ（部品）、８：圧縮コイルばね（弾性体）、９：案内軸（支持手段）、１２：位置検知センサ（部品）、１４：ベースフレーム（フレーム）、１６：突起（傾動規制手段）、１７：軸受（支持手段）、２０：読取ユニット（読取手段）、３０：ケーシング、３１：ホームポジションセンサ、１００：画像形成装置、１００Ａ：装置本体、１０１：画像読取装置、１０２：自動原稿搬送装置、１２３：画像形成部、Ｄ：原稿、Ｐ：シート。
【図１】
2016096402.tif 000003
【図２】
2016096402.tif 000004
【図３】
2016096402.tif 000005
【図４】
2016096402.tif 000006
【図５】
2016096402.tif 000007
【図６】
2016096402.tif 000008